(57)【特許請求の範囲】
【請求項１】
耳孔内温度を測定するための耳孔内温度測定手段と、腋下または舌下で測定した体温値を登録するための他部位体温登録手段と、前記耳孔内温度測定手段で測定した温度値と前記他部位体温登録手段で登録した体温値を比較するための体温値比較手段と、報知手段とを有し、前記報知手段は、前記耳孔内温度測定手段で測定した温度値が他部位体温登録手段で登録した体温値以下の時に耳孔内温度の再測定を促す報知を行う耳式体温計。
【請求項２】
前記報知手段は、前記耳孔内温度測定手段で測定した温度値が他部位体温登録手段で登録した体温値以下でかつ所定値以上の時に前記耳孔内温度測定手段の耳孔内での方向を変えるように指示報知を行う耳式体温計。
【請求項３】
記憶手段を有し、前記報知手段は、前記耳孔内温度測定手段で測定した温度値が他部位体温登録手段で登録した体温値より高い場合が所定回数以上連続するまで耳孔内温度の再測定を促す報知を行い、前記耳孔内温度測定手段で測定した温度値が他部位体温登録手段で登録した体温値より高い場合が所定回数以上連続した時に記憶手段に記憶している所定回数内での耳孔内温度のピーク値を耳孔内温度として報知する請求項１または請求項２記載の耳式体温計。
【請求項４】
記憶手段を有し、前記報知手段は、前記耳孔内温度測定手段で測定した温度値が他部位体温登録手段で登録した体温値より高い場合が所定回数以上連続しかつ連続した所定回数内の耳孔内温度の変動幅が所定値以内になるまで再測定を促す報知を行い、前記耳孔内温度測定手段で測定した温度値が他部位体温登録手段で登録した体温値より高い場合が所定回数以上連続しかつ連続した所定回数内の耳孔内温度の変動幅が所定値以内になった時に記憶手段に記憶している所定回数内での耳孔内温度ピーク値を耳孔内温度として報知する請求項１または請求項２記載の耳式体温計。
【請求項５】
体温報知を耳孔内温度で行うか腋下温または舌下温相当に補正して行うかを切り換えるための体温報知切り換え手段と、体温報知補正手段を有し、前記体温報知補正手段は、登録モードと通常モードを有して、登録モードにおいて測定した耳孔内温度ピーク値と前記他部位体温登録手段で登録した体温値との差を補正量として登録し、通常モードにおいて前記体温報知切り換え手段で腋下温または舌下温相当に補正して行うように切り換えられている時は耳孔内温度を登録した補正量で補正して報知する請求項３または請求項４記載の耳式体温計。
【請求項６】
室温を測定するための室温測定手段と、室温比較手段を有し、前記体温報知補正手段は、登録モード時の室温を同時に登録できるようにし、前記報知手段は、前記室温比較手段で前記体温報知補正手段で登録した時の室温と現在の室温を比較して所定値以上差がある時に前記体温報知補正手段への再登録を促す報知を行う請求項５の耳式体温計。
【請求項７】
計時手段を有し、前記報知手段は、前記他部位体温登録手段に登録した時から所定期間経過した時に前記他部位体温登録手段への再登録を促す報知を行う請求項１から６のいずれか１項に記載した耳式体温計。
【発明の詳細な説明】
【０００１】
【発明の属する技術分野】
本発明は、鼓膜温度を非接触で測定できる耳式体温計に関するものである。
【０００２】
【従来の技術】
本来、耳式体温計は、体温中枢である視床下部と血流を共有していて人体の深部体温を良く反映していると言われている鼓膜の温度を、その放射される赤外線を検出することによって瞬時に測定するものである。従来の耳式体温計は、案内部と呼ばれる部分（１種類または耳孔の大きさに合わせて大人用子供用の２種類が用意されている）を耳孔内に差し込んでそこから放射される赤外線を赤外線センサで検出して約１秒で測定完了するもので、測定時間内で耳孔内温度のピークを検出するものもある。
【０００３】
【発明が解決しようとする課題】
鼓膜温は、正しく測定できれば、測定の際外気に直にさらされる舌下や腋下よりも高い温度である。その差は個人差があるが、一般に鼓膜温＞舌下温＞腋下温と言われている。ところが、人体の外耳道は非常に個体差があり、細かったり曲がっていたりして、従来の耳式体温計の案内部を単純に耳孔内に差し込んだだけでは、鼓膜が非常に見えにくい。鼓膜が見えにくいと、本来鼓膜温度を測定すべきところが、外耳道の温度を測定してしまい鼓膜温度より低い温度をひろい正しい測定ができなかった。この場合、いくらピーク温度をとってもあくまでも外耳道内のピーク温度にすぎない。さらに、外耳道を見ている場合は、室温が低いと外気に冷やされたり、差し込んだ冷えた案内部に冷やされてしまい、その結果として室温によって測定温度が影響を受けて腋下温度より低かったり、測定の再現性が悪かった。
【０００４】
逆に、正しく測定できた場合は、腋下温を測定するのに慣れた一般の人にとっては、耳式体温計の測定値はかなり高いため熱があると誤解したり、不信感を招いていたりした。  本発明はこのような従来の耳式体温計が有している課題を解決するもので、測定の信頼性を向上した耳式体温計を実現することを目的としている。
【０００５】
【課題を解決するための手段】
前記目的を達成するための本発明の第１の手段は、耳孔内温度を測定するための耳孔内温度測定手段と、腋下または舌下で測定した体温値を登録するための他部位体温登録手段と、前記耳孔内温度測定手段で測定した温度値と前記他部位体温登録手段で登録した体温値を比較するための体温値比較手段と、報知手段とを有し、前記報知手段は、前記耳孔内温度測定手段で測定した温度値が他部位体温登録手段で登録した体温値以下の時に耳孔内温度の再測定を促す報知を行うように構成し、鼓膜温を正しくとらえていれば他部位体温登録手段に登録された腋下温や舌下温より高い温度が測定されるはずであるため登録体温値より高い時だけ測定を確定するようにして測定の信頼性を向上した耳式体温計としている。
【０００６】
また本発明の第２の手段は、前記報知手段は、前記耳孔内温度測定手段で測定した温度値が他部位体温登録手段で登録した体温値以下でかつ所定値以上の時に前記耳孔内温度測定手段の耳孔内での方向を変えるように指示報知を行うに構成し、単なる耳孔内への挿入ミスや他のエラーと区別して意図的に鼓膜を探ることによって測定の信頼性を向上した耳式体温計としている。
【０００７】
本発明の第３の手段は、記憶手段を有し、前記報知手段は、前記耳孔内温度測定手段で測定した温度値が他部位体温登録手段で登録した体温値より高い場合が所定回数以上連続するまで耳孔内温度の再測定を促す報知を行い、前記耳孔内温度測定手段で測定した温度値が他部位体温登録手段で登録した体温値より高い場合が所定回数以上連続した時に記憶手段に記憶している所定回数内での耳孔内温度ピーク値を耳孔内温度として報知するように構成し、比較的短時間の測定で測定の信頼性を向上した耳式体温計としている。
【０００８】
本発明の第４の手段は、記憶手段を有し、前記報知手段は、前記耳孔内温度測定手段で測定した温度値が他部位体温登録手段で登録した体温値より高い場合が所定回数以上連続しかつ連続した所定回数内の耳孔内温度の変動幅が所定値以内になるまで再測定を促す報知を行い、前記耳孔内温度測定手段で測定した温度値が他部位体温登録手段で登録した体温値より高い場合が所定回数以上連続しかつ連続した所定回数内の耳孔内温度の変動幅が所定値以内になった時に記憶手段に記憶している所定回数内での耳孔内温度ピーク値を耳孔内温度として報知するように構成し、さらに測定の信頼性を向上した耳式体温計としている。
【０００９】
本発明の第５の手段は、体温報知を耳孔内温度で行うか腋下温または舌下温相当に補正して行うかを切り換えるための体温報知切り換え手段と、体温報知補正手段を有し、前記体温報知補正手段は、登録モードと通常モードを有して、登録モードにおいて測定した耳孔内温度ピーク値と前記他部位体温登録手段で登録した体温値との差を補正量として登録し、通常モードにおいて前記体温報知切り換え手段で腋下温または舌下温相当に補正して行うように切り換えられている時は耳孔内温度を登録した補正量で補正して報知するように構成し、腋下温や舌下温を測定するのに慣れた人も違和感なく使用できる耳式体温計としている。
【００１０】
本発明の第６の手段は、室温を測定するための室温測定手段と、室温比較手段を有し、前記体温報知補正手段は、登録モード時の室温を同時に登録できるようにし、前記報知手段は、前記室温比較手段で前記体温報知補正手段で登録した時の室温と現在の室温を比較して所定値以上差がある時に前記体温報知補正手段への再登録を促す報知を行うように構成し、腋下温や舌下温への体温報知補正の信頼性を向上した耳式体温計としている。
【００１１】
本発明の第７の手段は、計時手段を有し、前記報知手段は、前記他部位体温登録手段に登録した時から所定期間経過した時に前記他部位体温登録手段への再登録を促す報知を行うように構成し、測定の信頼性や腋下温や舌下温への体温報知補正の信頼性を向上した耳式体温計としている。
【００１２】
【発明の実施の形態】
（実施の形態１）
以下本発明の第１の実施形態について説明する。図１は本実施形態の耳式体温計の構成を示すブロック図である。
【００１３】
耳式体温計の本体１（以下単に本体１と称する）は、耳孔内に挿入することによって人体が放射する赤外線を本体１に案内する案内部２と、案内部２によって案内された赤外線量をもとに耳孔内温度を測定する耳孔内温度測定手段３と、腋下または舌下で測定した体温値を登録するための他部位体温登録手段４と、耳孔内温度測定手段４で測定した温度値と前記他部位体温登録手段で登録した体温値を比較するための体温値比較手段５と、報知手段６とを備えている。耳孔内温度測定手段３は、赤外線センサ７と、赤外線センサ７の受光窓を開閉する遮蔽板８と、遮蔽板８を駆動する遮蔽板駆動手段９と、赤外線センサ７素子そのものの温度を検出するための赤外線センサ素子温度検出手段１０と、赤外線センサ７の信号と赤外線センサ素子温度検出手段１０での検出温度から耳孔内温度を演算するための耳孔内温度演算手段１１と、測定スイッチ１２から構成される。赤外線センサ７は常に赤外線を受光している状態であると出力がなくなってしまうため、周期的に遮蔽と開口を繰り返すことで出力を得るものである。また、報知手段６は、液晶表示部とブザー音吹鳴部によって構成している。
【００１４】
以下本実施形態の耳式体温計の動作について図１により説明する。
【００１５】
使用者は、まず、他部位体温登録手段４へ自分の腋下温（できれば１０分間、水銀体温計で測定したもの）を登録する。
【００１６】
次に、使用者は、案内部２を耳孔内に挿入し、測定スイッチ１２を押す。測定スイッチ１２が押されると、耳孔内温度測定手段４で耳孔内温度が測定される。即ち、測定スイッチ１２が押されると、遮蔽板駆動手段９が遮蔽板８を駆動して赤外線センサ７の受光窓を開閉する。案内部２によって案内された耳孔内より放射された赤外線量は、この遮蔽板８の開閉によって赤外線センサ７によって検出される。赤外線センサ７の出力は、赤外線センサ素子そのものの温度によって出力量が規制されるものであるため、耳孔内温度演算手段１１は、赤外線センサ７の出力量と赤外線センサ素子温度検出手段１０で検出した赤外線センサ素子温度とから耳孔内温度を演算する。耳孔内温度の測定が終了すると、遮蔽板駆動手段９は遮蔽板８を閉状態にしてから動作を停止する。
【００１７】
次に、このようにして測定された耳孔内温度は、体温値比較手段５によって他部位体温登録手段４に登録された体温値と比較される。比較の結果、耳孔内温度が登録された体温値より高い場合は、報知手段６を構成するブザー音吹鳴部でピッ音を吹鳴して液晶表示部に耳孔内温度を表示し測定を確定する（通常終了）。耳孔内温度が登録された体温値以下の場合は、報知手段６を構成するブザー音吹鳴部で通常終了時の音とは異なるピピピッ音を吹鳴して液晶表示部には耳孔内温度を表示せずに「再測定」と表示し、再び測定スイッチ１２が押されるまで待機する。
【００１８】
他部位体温登録手段４への登録がなされなかった場合は、３５．５℃を登録体温とみなして、報知を行う。
【００１９】
なお、本実施形態では、他部位体温登録手段４への登録がなされない場合は、規定値を代入して報知を行うようにしたが、規定値は代入せずに報知手段に「未登録」の旨を報知して動作しないようにしてもかまわない。また、本実施形態では、報知手段を液晶表示部とブザー音吹鳴部によって構成したが、音声やランプ等で報知するようにしてもかまわないし、本実施形態では、再測定を促す報知を「再測定」の文字表示としたが、同時に参考として測定した耳孔内温度表示を行ってもかまわないし、エラー報知をしてもかまわない。
【００２０】
以上のように本実施形態によれば、、鼓膜温を正しくとらえていれば他部位体温登録手段に登録された腋下温や舌下温より高い温度が測定されるはずであるため登録体温値より高い時だけ測定を確定するようにして測定の信頼性を向上した耳式体温計を提供することができる。
【００２１】
（実施の形態２）
続いて本発明の第２の実施形態について説明する。本実施形態の耳式体温計の構成を示すブロック図は第１の実施形態と同じ図１である。
【００２２】
図２は、本実施形態の動作を示すフローチャートである。
【００２３】
以下本実施形態の動作について図１及び図２のフローチャートにより説明する。
【００２４】
耳孔内温度測定手段３によって耳孔内温度が測定されるまでの動作は、第１の実施形態と同様である(ステップ１〜ステップ３）。
【００２５】
測定された耳孔内温度は、体温値比較手段５によって他部位体温登録手段４に登録された体温値と比較される（ステップ４）。比較の結果、耳孔内温度が登録された体温値より高い場合は、報知手段６を構成するブザー音吹鳴部でピッ音を吹鳴して液晶表示部に耳孔内温度を表示し測定を確定する（ステップ８であり、これが通常終了である）。
【００２６】
耳孔内温度が登録された体温値以下の場合は、耳孔内温度が３５．０℃以上かどうかで次の動作のいずれかを行う（ステップ５）。即ち、耳孔内温度が３５．０℃未満の時は、報知手段６を構成するブザー音吹鳴部で通常終了時とは異なるピピッ音を吹鳴して液晶表示部には耳孔内温度を表示せずに「再測定」とのみ表示し（ステップ６）、再び測定スイッチ１２が押されるまで待機する。耳孔内温度が３５．０℃以上の時は、報知手段６を構成するブザー音吹鳴部で通常終了時や単なる「再測定」の音とは異なるピピピピピッ音を吹鳴して液晶表示部には耳孔内温度を表示せずに「再測定」と同時に「方向変え」と表示し（ステップ７）、再び測定スイッチ１２が押されるまで待機する。
【００２７】
他部位体温登録手段４への登録がなされなかった場合は、３５．５℃を登録体温とみなして、報知を行う。
【００２８】
なお、本実施形態では、単なる「再測定」と区別する温度として３５．０℃としたが、任意の所定値として良い。また、本実施形態では、他部位体温登録手段４への登録がなされない場合は、規定値を代入して報知を行うようにしたが、規定値は代入せずに報知手段に「未登録」の旨を報知して動作しないようにしてもかまわない。また、本実施形態では、報知手段を液晶表示部とブザー音吹鳴部によって構成したが、音声やランプ等で報知するようにしてもかまわないし、本実施形態では、耳孔内での方向を変える指示報知を「方向変え」の文字表示としたが、同時に参考として測定した耳孔内温度表示を行ってもかまわない。
【００２９】
以上のように本実施形態によれば、単なる耳孔内への挿入ミスや他のエラーと区別して意図的に鼓膜を探ることによって測定の信頼性を向上した耳式体温計を提供することができる。
【００３０】
（実施の形態３）
続いて本発明の第３の実施形態について説明する。図３は、本実施形態の耳式体温計の構成を示すブロック図である。第１の実施形態と同一機能を持つものは同一記号を用いている。１３は、ピークホールド手段である。
【００３１】
図４は、本実施形態の動作を示すフローチャートである。第２の実施形態と同一機能を持つものは同一ステップ記号を用いている。
【００３２】
以下本実施形態の動作について図３及び図４のフローチャートにより説明する。
【００３３】
まず、記憶手段１３の３つ分の耳孔内温度値の記憶と連続カウンタをクリアする（ステップ９）。
【００３４】
耳孔内温度測定手段３によって耳孔内温度が測定されるまでの動作は、第１の実施形態と同様である(ステップ１〜ステップ３）。
【００３５】
測定された耳孔内温度は、体温値比較手段５によって他部位体温登録手段４に登録された体温値と比較される（ステップ４）。比較の結果、耳孔内温度が登録された体温値以下の場合は、耳孔内温度値の全記憶と連続カウンタをクリアし（ステップ１０）、報知手段６を構成するブザー音吹鳴部で通常終了時とは異なるピピッ音を吹鳴して液晶表示部には耳孔内温度を表示せずに「再測定」とのみ表示し（ステップ１１）、再び測定スイッチ１２が押されるまで待機する。
【００３６】
耳孔内温度が登録された体温値より高い場合は、今回測定した耳孔内温度値を記憶手段１３に記憶する（ステップ１２）。さらに、連続カウンタの値を１加算し（ステップ１３）、連続カウンタの値のチェックを行う（ステップ１４）。連続カウンタの値が３未満の時は、ステップ１１に移行し、報知手段６を構成するブザー音吹鳴部で通常終了時とは異なるピピッ音を吹鳴して液晶表示部には耳孔内温度を表示せずに「再測定」とのみ表示し、再び測定スイッチ１２が押されるまで待機する。連続カウンタの値が３以上の時は、報知手段６を構成するブザー音吹鳴部でピッ音を吹鳴して液晶表示部に記憶手段１３に記憶した耳孔内温度値の内ピーク値を耳孔内温度として表示し測定を確定する（ステップ１５であり、これが通常終了である）。
【００３７】
他部位体温登録手段４への登録がなされなかった場合は、３５．５℃を登録体温とみなして、報知を行う。
【００３８】
なお、本実施形態では、通常終了するための他部位体温登録手段に登録した体温値より高い連続回数を３回としたが任意の所定値として良い。また３回連続するまでの再測定の起動を使用者の手動によるものとしたが、再測定表示から一定時間後に再測定を自動起動する等の自動再測定の方法を採用してもかまわない。さらに、本実施形態では、他部位体温登録手段４への登録がなされない場合は、規定値を代入して報知を行うようにしたが、規定値は代入せずに報知手段に「未登録」の旨を報知して動作しないようにしてもかまわない。また、本実施形態では、報知手段を液晶表示部とブザー音吹鳴部によって構成したが、音声やランプ等で報知するようにしてもかまわない
以上のように本実施形態によれば、比較的短時間の測定で測定の信頼性を向上した耳式体温計を提供することができる。
【００３９】
（実施の形態４）
続いて本発明の第４の実施形態について説明する。本実施形態の耳式体温計の構成を示すブロック図は第３の実施形態と同じ図３である。
【００４０】
図５は、本実施形態の動作を示すフローチャートである。第３の実施形態と同一機能を持つものは同一ステップ記号を用いている。
【００４１】
以下本実施形態の動作について図３及び図５のフローチャートにより説明するまず、記憶手段１３の３つ分の耳孔内温度値の記憶と連続カウンタをクリアする（ステップ９）。
【００４２】
耳孔内温度測定手段３によって耳孔内温度が測定されるまでの動作は、第１の実施形態と同様である(ステップ１〜ステップ３）。
【００４３】
測定された耳孔内温度は、体温値比較手段５によって他部位体温登録手段４に登録された体温値と比較される（ステップ４）。比較の結果、耳孔内温度が登録された体温値以下の場合は、耳孔内温度値の全記憶と連続カウンタをクリアし（ステップ１０）、報知手段６を構成するブザー音吹鳴部で通常終了時とは異なるピピッ音を吹鳴して液晶表示部には耳孔内温度を表示せずに「再測定」とのみ表示し（ステップ１１）、再び測定スイッチ１２が押されるまで待機する。
【００４４】
耳孔内温度が登録された体温値より高い場合は、今回測定した耳孔内温度値を記憶手段１３に記憶する（ステップ１２）。さらに、連続カウンタの値を１加算し（ステップ１３）、連続カウンタの値のチェックを行う（ステップ１４）。連続カウンタの値が３未満の時は、ステップ１１に移行して、報知手段６を構成するブザー音吹鳴部で通常終了時とは異なるピピッ音を吹鳴して液晶表示部には耳孔内温度を表示せずに「再測定」とのみ表示し、再び測定スイッチ１２が押されるまで待機する。
【００４５】
連続カウンタの値が３以上の時は、記憶手段１３に記憶している３つの連続して登録体温値より高かった耳孔内温度値の変動幅が０．１℃以内かどうかチェックする（ステップ１６）。変動幅が０．１℃以内であれば、計測３つの報知手段６を構成するブザー音吹鳴部でピッ音を吹鳴して液晶表示部に記憶手段１３に記憶した耳孔内温度値の内ピーク値を耳孔内温度として表示し測定を確定する（ステップ１５であり、これが通常終了である）。変動幅が０．１℃より大きい場合は、連続カウンタに２を代入し最古の耳孔内温度の記憶をクリアし（ステップ１７）、ステップ１１に移行して、、報知手段６を構成するブザー音吹鳴部で通常終了時とは異なるピピッ音を吹鳴して液晶表示部には耳孔内温度を表示せずに「再測定」とのみ表示し、再び測定スイッチ１２が押されるまで待機する。
【００４６】
他部位体温登録手段４への登録がなされなかった場合は、３５．５℃を登録体温とみなして、報知を行う。
【００４７】
なお、本実施形態では、耳孔温度値の変動幅を０．１℃以下としたが、信頼性を確保でき一定時間内に耳孔内温度が表示されるような任意の値以下として良い。また、本実施形態では、通常終了するための他部位体温登録手段に登録した体温値より高い連続回数を３回としたが任意の所定値として良い。また３回連続するまでの再測定の起動を使用者の手動によるものとしたが、再測定表示から一定時間後に再測定を自動起動する等の自動再測定の方法を採用してもかまわない。さらに、本実施形態では、他部位体温登録手段４への登録がなされない場合は、規定値を代入して報知を行うようにしたが、規定値は代入せずに報知手段に「未登録」の旨を報知して動作しないようにしてもかまわない。また、本実施形態では、報知手段を液晶表示部とブザー音吹鳴部によって構成したが、音声やランプ等で報知するようにしてもかまわない
以上のように本実施形態によれば、さらに測定の信頼性を向上した耳式体温計を提供することができる。
【００４８】
（実施の形態５）
続いて本発明の第４の実施形態について説明する。図６は、本実施形態の耳式体温計の構成を示すブロック図である。第４の実施形態と同一機能を持つものは同一記号を用いている。１４は、体温報知切り換え手段で、１５は、体温報知補正手段である。体温報知切り換え手段１４は、体温報知を耳孔内温度で行うか、腋下温または舌下温相当に補正して行うかが切り換えられる。また、体温報知補正手段１５は、登録モードと通常モードを有している。
【００４９】
以下本実施形態の動作について図６により説明する。
【００５０】
まず、使用者は、体温報知補正手段１５を登録モードにする。体温報知補正手段１５は、登録モードになると、第４の実施形態と同様の動作で耳孔内温度ピーク値を耳孔内温度として報知し確定する。次に、体温報知補正手段１５は、この登録モードにおいて測定した耳孔内温度ピーク値（例えば３７．０℃）と他部位体温登録手段４で登録した体温値（例えば腋下温で３６．５℃）の差（この例では−０．５℃）を補正量として登録する。
【００５１】
次に、使用者は、体温報知補正手段１５を通常モードに切り換える。この時、使用者は、体温報知切り換え手段１４を、体温報知を耳孔内温度で行うか、腋下温または舌下温相当に補正して行うかを切り換えておく。体温報知手段１５の通常モードにおける耳孔内温度計測の動作（耳孔内温度ピーク値を求めるまでの動作）は第４の実施形態と同様である。
【００５２】
体温報知切り換え手段１４が、耳孔内温度報知するように切り換えられていた場合、測定した耳孔内温度は第４の実施形態と同様に計測した耳孔内温度ピーク値（例えば３７．２℃）がそのまま報知手段６で報知される。
【００５３】
体温報知切り換え手段１４が、腋下温または舌下温相当に補正して報知を行うように切り換えられていた場合、測定した耳孔内温度として第４の実施形態と同様に計測した耳孔内温度ピーク値（例えば３７．２℃）を体温報知補正手段１５が登録モードにおいて登録した補正量（−０．５℃）で補正して報知手段６で報知される（この例では３６．７℃）。
【００５４】
なお、本実施形態では、体温補正手段で補正を行うものを腋下温または舌下温のうちの１つについて行うようにしたが、腋下温、舌下温等各々について補正を行ってもかまわない。
【００５５】
以上のように本実施形態によれば、腋下温や舌下温を測定するのに慣れた人も違和感なく使用できる耳式体温計を提供することができる。
【００５６】
（実施の形態６）
続いて本発明の第６の実施形態について説明する。図７は、本実施形態の耳式体温計の構成を示すブロック図である。第５の実施形態と同一機能を持つものは同一記号を用いている。１６は、温度比較手段である。本実施形態では室温と赤外線センサ素子の温度と室温がほぼ同じとみなせるため、室温を測定するための室温測定手段として赤外線センサ素子温度検出手段１０で代用した。但し、赤外線センサ素子温度検出手段１０が耳孔内温度測定の際に耳孔や手等の人体温度から影響を受けないように断熱処理を施している。
【００５７】
以下本実施形態の動作について図７により説明する。耳孔内温度測定及び報知については、第５の実施形態と同様である。
【００５８】
体温報知補正手段１５は、登録モードになると、まず赤外線センサ素子温度を赤外線センサ素子温度検出手段１０で検出し、室温として登録しておく。その後、第４の実施形態と同様の動作で耳孔内温度ピーク値を耳孔内温度として報知し確定する。次に、体温報知補正手段１５は、この登録モードにおいて測定した耳孔内温度ピーク値（例えば３７．０℃）と他部位体温登録手段４で登録した体温値（例えば腋下温で３６．５℃）の差（この例では−０．５℃）を補正量として登録する。
【００５９】
次に、体温報知補正手段１５が、通常モードになると、温度比較手段１６は、測定スイッチ１２が押される毎にその直後の赤外線センサ素子温度を赤外線センサ素子温度検出手段１０で検出し、体温報知補正手段１５の登録モードにおいて登録された室温と比較を行う。
【００６０】
比較の結果、５℃以上の差がある時は、報知手段６を構成する液晶表示部に「補正量再登録」と表示する。
【００６１】
なお、本実施形態では、赤外線センサ素子温度検出手段を室温測定手段として代用したが、別途室温測定手段を設けてもかまわない。また、本実施形態では、室温に５℃以上の差がある時に体温報知補正手段への再登録を促す報知を行うようにしたが、補正の信頼性が確保できる任意の温度差として良い。さらに、体温報知補正手段への再登録を促す報知を液晶表示部での「補正量再登録」の文字表示のみとしたがブザー音との併用や、音声やランプ等で報知してもかまわない。
【００６２】
以上のように本実施形態によれば、腋下温や舌下温への体温報知補正の信頼性を向上した耳式体温計を提供することができる。
【００６３】
（実施の形態７）
続いて本発明の第７の実施形態について説明する。図８は、本実施形態の耳式体温計の構成を示すブロック図である。第１の実施形態と同一機能を持つものは同一記号を用いている。１７は、計時手段である。
【００６４】
以下本実施形態の動作について図８により説明する。耳孔内温度測定や報知に関する動作は、第１の実施形態と同様である。
【００６５】
他部位体温登録手段４は、使用者によって腋下温等の他部位の温度が登録された時に計時手段１７の計時を開始させる。報知手段６は、計時手段１７の計時が１２０日経過した時点で液晶表示部に「他体温再登録」と表示する。
【００６６】
なお、本実施形態では、他部位体温登録手段への再登録を促す報知を行う経過期間を四季を考慮して１２０日としたが、他部位体温の体調や室温による変動を反映できる任意の期間として良い。また、所定期間経過後、他部位体温登録手段への再登録が行われるまで再登録を促す報知を行ってもかまわない。さらに、体温報知補正手段への再登録を促す報知を液晶表示部での「他体温再登録」の文字表示のみとしたがブザー音との併用や、音声やランプ等で報知してもかまわない。
【００６７】
以上のように本実施形態によれば、測定の信頼性を向上した耳式体温計を提供することができる。
【００６８】
【発明の効果】
本発明の第１の手段は、前記目的を達成するための本発明の第１の手段は、耳孔内温度を測定するための耳孔内温度測定手段と、腋下または舌下で測定した体温値を登録するための他部位体温登録手段と、前記耳孔内温度測定手段で測定した温度値と前記他部位体温登録手段で登録した体温値を比較するための体温値比較手段と、報知手段とを有し、前記報知手段は、前記耳孔内温度測定手段で測定した温度値が他部位体温登録手段で登録した体温値以下の時に耳孔内温度の再測定を促す報知を行うように構成し、鼓膜温を正しくとらえていれば他部位体温登録手段に登録された腋下温や舌下温より高い温度が測定されるはずであるため登録体温値より高い時だけ測定を確定するようにして測定の信頼性を向上した耳式体温計を実現できるものである。
【００６９】
本発明の第２の手段は、前記報知手段は、前記耳孔内温度測定手段で測定した温度値が他部位体温登録手段で登録した体温値以下でかつ所定値以上の時に前記耳孔内温度測定手段の耳孔内での方向を変えるように指示報知を行うに構成し、単なる耳孔内への挿入ミスや他のエラーと区別して意図的に鼓膜を探ることによって測定の信頼性を向上した耳式体温計を実現できるものである。
【００７０】
本発明の第３の手段は、記憶手段を有し、前記報知手段は、前記耳孔内温度測定手段で測定した温度値が他部位体温登録手段で登録した体温値より高い場合が所定回数以上連続するまで耳孔内温度の再測定を促す報知を行い、前記耳孔内温度測定手段で測定した温度値が他部位体温登録手段で登録した体温値より高い場合が所定回数以上連続した時に記憶手段に記憶手段に記憶している所定回数内での耳孔内温度ピーク値を耳孔内温度として報知するように構成し、比較的短時間の測定で測定の信頼性を向上した耳式体温計を実現できるものである。
【００７１】
本発明の第４の手段は、記憶手段を有し、前記報知手段は、前記耳孔内温度測定手段で測定した温度値が他部位体温登録手段で登録した体温値より高い場合が所定回数以上連続しかつ連続した所定回数内の耳孔内温度の変動幅が所定値以内になるまで再測定を促す報知を行い、前記耳孔内温度測定手段で測定した温度値が他部位体温登録手段で登録した体温値より高い場合が所定回数以上連続しかつ連続した所定回数内の耳孔内温度の変動幅が所定値以内になった時に記憶手段に記憶している所定回数内での耳孔内温度ピーク値を耳孔内温度として報知するように構成し、さらに測定の信頼性を向上した耳式体温計を実現できるものである。
【００７２】
本発明の第５の手段は、体温報知を耳孔内温度で行うか腋下温または舌下温相当に補正して行うかを切り換えるための体温報知切り換え手段と、体温報知補正手段を有し、前記体温報知補正手段は、登録モードと通常モードを有して、登録モードにおいて測定した耳孔内温度ピーク値と前記他部位体温登録手段で登録した体温値との差を補正量として登録し、通常モードにおいて前記体温報知切り換え手段で腋下温または舌下温相当に補正して行うように切り換えられている時は耳孔内温度を登録した補正量で補正して報知するように構成し、腋下温や舌下温を測定するのに慣れた人も違和感なく使用できる耳式体温計を実現できるものである。
【００７３】
本発明の第６の手段は、室温を測定するための室温測定手段と、室温比較手段を有し、前記体温報知補正手段は、登録モード時の室温を同時に登録できるようにし、前記報知手段は、前記室温比較手段で前記体温報知補正手段で登録した時の室温と現在の室温を比較して所定値以上差がある時に前記体温報知補正手段への再登録を促す報知を行うように構成し、腋下温や舌下温への体温報知補正の信頼性を向上した耳式体温計を実現できるものである。
【００７４】
本発明の第７の手段は、計時手段を有し、前記報知手段は、前記他部位体温登録手段に登録した時から所定期間経過した時に前記他部位体温登録手段への再登録を促す報知を行うように構成し、測定の信頼性や腋下温や舌下温への体温報知補正の信頼性を向上した耳式体温計を実現できるものである。
【図面の簡単な説明】
【図１】本発明の第１の実施形態である耳式体温計の構成を示すブロック図
【図２】本発明の第２の実施形態の動作フローを示すフローチャート
【図３】本発明の第３の実施形態である耳式体温計の構成を示すブロック図
【図４】同、動作フローを示すフローチャート
【図５】本発明の第４の実施形態の動作フローを示すフローチャート
【図６】本発明の第５の実施形態である耳式体温計の構成を示すブロック図
【図７】本発明の第６の実施形態である耳式体温計の構成を示すブロック図
【図８】本発明の第７の実施形態である耳式体温計の構成を示すブロック図
【符号の説明】
１    本体
２    案内部
３    耳孔内温度測定手段
４    他部位体温登録手段
５    体温値比較手段
６    報知手段
７    赤外線センサ
８    遮蔽板
９    遮蔽板駆動手段
１０    赤外線センサ素子温度検出手段
１１    耳孔内温度演算手段
１２    測定スイッチ
１３    記憶手段
１４    体温報知切り換え手段
１５    体温報知補正手段
１６    温度比較手段
１７    計時手段
【図１】
0004200247.tif 000002
【図２】
0004200247.tif 000003
【図３】
0004200247.tif 000004
【図４】
0004200247.tif 000005
【図５】
0004200247.tif 000006
【図６】
0004200247.tif 000007
【図７】
0004200247.tif 000008
【図８】
0004200247.tif 000009